(57)【要約】 本発明のバッグ１は、袋体２と、袋体２に取り付けられ、肩にかけることが可能な、第１持ち手３および第２持ち手４と、第１持ち手３と袋体２の底側を結ぶベルト部材５とを備え、ベルト部材５は、第１持ち手３および第２持ち手４が使用者Ｈの肩にかけられ、袋体２が使用者Ｈの背中側に位置する場合に、使用者Ｈの胸側で、第１持ち手３と袋体２の底側とを互いに引き寄せることで、袋体２の一部が使用者Ｈの背中に接触した状態を維持するものであり、さらに、袋体２の底側に対してベルト部材５が移動可能に連結する、被連結体６と他端側カラビナ５５を備えたものである。
2015019996.tif 000002
【特許請求の範囲】
【請求項１】
袋体と、
前記袋体に取り付けられ、肩にかけることが可能な持ち手と、
前記持ち手と前記袋体の底側を結ぶベルト部材とを備え、
前記ベルト部材は、前記持ち手が使用者の肩にかけられ、前記袋体が該使用者の背中側に位置する場合に、該使用者の胸側で、前記持ち手と前記袋体の底側とを互いに引き寄せることで、該袋体の一部が使用者の背中に接触した状態を維持するものであり、
さらに、
前記袋体の底側に対して前記ベルト部材が移動可能に連結する連結機構を備えたものであることを特徴とするバッグ。
【請求項２】
前記袋体は、第１胴と第２胴との間に収納空間を有し、該第１胴と該第２胴を底側で繋ぐ底面部が設けられたものであり、
前記連結機構は、前記ベルト部材に接続した連結部と、前記底面部に設けられ該連結部が連結される被連結部とを有するものであり、
前記連結部は、前記被連結部に案内されて前記底面部に対して摺動可能なものであることを特徴とする請求項１記載のバッグ。
【請求項３】
前記連結部は、前記持ち手が使用者の肩にかけられ、前記袋体が該使用者の背中側に位置する場合に、前記底面部に対して摺動不能になるものであることを特徴とする請求項２記載のバッグ。
【請求項４】
前記連結機構は、前記袋体の底側と前記ベルト部材とを相対的に回動自在に連結するものであることを特徴とする請求項１記載のバッグ。
【請求項５】
前記袋体は、第１胴と第２胴との間に収納空間を有し、該第１胴と該第２胴を底側で繋ぐ底面部が設けられたものであり、
前記底面部に対して、前記収納空間側を内側とし、該収納空間側とは反対側を外側とした場合に、
前記連結機構は、一部が、前記底面部よりも外側に設けられたものであることを特徴とする請求項４記載のバッグ。
【請求項６】
前記連結機構は、
前記ベルト部材に設けられた連結部と、
前記底側に回動自在に設けられ前記連結部が連結される被連結部とを有するものであることを特徴とする請求項４記載のバッグ。
【請求項７】
前記連結機構は、
前記ベルト部材に設けられた連結部と、
前記底側に設けられ前記連結部が回動自在に連結される被連結部とを有するものであることを特徴とする請求項４記載のバッグ。
【請求項８】
前記袋体は、第１胴と第２胴との間に収納空間を有し、該第１胴と該第２胴を底側で繋ぐ底面部が設けられたものであり、
前記底面部における襠方向と直交する方向を横方向とした場合に、
前記被連結部は、前記底側における前記横方向両側部分それぞれに設けられたものであることを特徴とする請求項６又は７記載のバッグ。
【請求項９】
前記底面部に対して、前記収納空間側を内側とし、該収納空間側とは反対側を外側とした場合に、
前記被連結部は、前記底面部よりも外側に設けられたものであることを特徴とする請求項８記載のバッグ。
【請求項１０】
前記ベルト部材と前記持ち手を取外し自在に連結する第２連結機構を備え、
前記第２連結機構は、
前記ベルト部材に設けられた第２連結部と、
前記持ち手の長手方向に沿って複数設けられた第２被連結部とを有するものであり、
前記第２連結部は、前記複数の第２被連結部のうちいずれか１つに連結されるものであることを特徴とする請求項１から７のうちいずれか１項記載のバッグ。
【発明の詳細な説明】
【技術分野】
【０００１】
本発明は、肩にかけることが可能な持ち手を備えたバッグに関する。
【背景技術】
【０００２】
荷物の運搬に使用されるバッグには、いわゆるボストンバッグやトートバッグなど多数の形態のものがある。特に、肩にかけることが可能な持ち手を袋体に取り付けたバッグは、使用者の肩にかけられた状態では両手を拘束しないので多用途に使用することが可能であり、幅広い年齢層に利用されている。【０００３】
この肩にかけることが可能な持ち手を備えたバッグを、使用者の肩にかけて使用していると、その持ち手が肩からずれ落ちてしまうことがある。そのずれ落ち防止策として、持ち手にベルト部材を連結し、持ち手がかけられた使用者の肩とは反対側の肩が存在する体側に向かってベルト部材で持ち手を引っ張る構造のバッグが提案されている（例えば、特許文献１または特許文献２参照）。
【先行技術文献】
【特許文献】
【０００４】
【特許文献１】特開平１０−２６２７２１号公報
【特許文献２】登録実用新案第３１１０６０２号公報
【発明の概要】
【発明が解決しようとする課題】
【０００５】
しかしながら、特許文献１または特許文献２に開示されたバッグは、なにかと使い勝手が悪いという問題がある。【０００６】
本発明は上記事情に鑑み、使い勝手が良いバッグを提供することを目的とする。
【課題を解決するための手段】
【０００７】
上記目的を解決する本発明のバッグは、
袋体と、
前記袋体に取り付けられ、肩にかけることが可能な持ち手と、
前記持ち手と前記袋体の底側を結ぶベルト部材とを備え、
前記ベルト部材は、前記持ち手が使用者の肩にかけられ、前記袋体が該使用者の背中側に位置する場合に、該使用者の胸側で、前記持ち手と前記袋体の底側とを互いに引き寄せることで、該袋体の一部が使用者の背中に接触した状態を維持するものであり、
さらに、
前記袋体の底側に対して前記ベルト部材が移動可能に連結する連結機構を備えたものであることを特徴とする。【０００８】
ここで、前記連結機構は、前記袋体の底側と前記ベルト部材とを取り外し自在に連結するものであってもよい。また、前記ベルト部材は、前記持ち手に取り外し自在に連結されるものであってもよい。さらに、前記持ち手は、いわゆる二本手であってもよいし、いわゆる一本手であってもよい。また、前記ベルト部材は、長さ調整可能なものであってもよいし、長さ方向に伸縮性を有するものであってもよい。【０００９】
本発明のバックによれば、右肩掛けと左肩掛けを使用者の意のままに使い分けることができたり、あるいは袋体を安定した姿勢で所持することでき、使い勝手が良い。【００１０】
また、本発明のバックにおいて、前記袋体は、第１胴と第２胴との間に収納空間を有し、該第１胴と該第２胴を底側で繋ぐ底面部が設けられたものであり、
前記連結機構は、前記ベルト部材に接続した連結部と、前記底面部に設けられ該連結部が連結される被連結部とを有するものであり、
前記連結部は、前記被連結部に案内されて前記底面部に対して摺動可能なものであってもよい。【００１１】
こうすることで、右肩掛けと左肩掛けを使用者の意のままに使い分けることができる。特に、意匠面（胴）が決まっているバックや、使用者が見せたい面（胴）が決まっているバックには好適である。すなわち、連結部を移動させることで、使用者が、右肩掛けにして前記袋体を使用者の背中側に位置させた場合であっても、左肩掛けにして前記袋体を使用者の背中側に位置させた場合であっても、特定の面（胴）を使用者の背中側から視認させることができる。【００１２】
さらに、本発明のバックにおいて、前記連結部は、前記持ち手が使用者の肩にかけられ、前記袋体が該使用者の背中側に位置する場合に、前記底面部に対して摺動不能になるものである態様が好ましい。【００１３】
この態様によれば、前記袋体を使用者の背中側に位置させた場合であっても、その袋体を安定した姿勢で所持することでき、使い勝手が良い。【００１４】
なお、前記連結部は、前記持ち手が使用者の肩にかけられ、前記袋体が該使用者の背中側に位置する場合に、前記被連結部に係止されるものであってもよい。すなわち、前記連結部は、前記持ち手が使用者の肩にかけられ、前記袋体が該使用者の背中側に位置する場合に、前記被連結部に係止される係止部を有するものであってもよい。こうすることで、前記持ち手が使用者の肩にかけられ、前記袋体が該使用者の背中側に位置する場合に、前記被連結部に対する前記連結部の位置が安定しやすくなり、使い勝手が良い。また、前記連結部は、前記被連結部に取り外し不能に連結されたものであってもよい。こうすることで、ベルト部材を不用意に紛失してしまうことを避けることができる。【００１５】
ところで、持ち手を使用者の左肩にかけた場合と右肩にかけた場合や、使用者の体格が変わった場合や、袋体に収納した物の形や量が変わった場合には、袋体の底側とベルト部材との相対的な向きが変化し、袋体の底側やベルト部材に捩れ等が生じてしまうことがある。袋体の底側やベルト部材に捩れ等が生じてしまうと、使用者の背中と袋体との間に隙間が生じ、袋体が揺れ動いてしまう要因になる。【００１６】
これらの不都合を解消するには、本発明のバックにおいて、前記連結機構は、前記袋体の底側と前記ベルト部材とを相対的に回動自在に連結するものであることが好ましい。【００１７】
こうすることで、持ち手を使用者の左肩にかけた場合と右肩にかけた場合や、使用者の体格が変わった場合や、袋体に収納した物の形や量が変わった場合に、袋体の底側とベルト部材との相対的な向きが変化する場合であっても、この変化に応じて、袋体の底側とベルト部材とが相対的に回動し、袋体の底側やベルト部材に捩れ等が生じにくくなる。このため、使用者の背中と袋体との間に隙間が生じてしまうことが抑えられ、袋体が不用意に揺れ動いてしまうことがより抑制される。【００１８】
また、本発明のバッグにおいて、前記袋体は、第１胴と第２胴との間に収納空間を有し、該第１胴と該第２胴を底側で繋ぐ底面部が設けられたものであり、
前記底面部に対して、前記収納空間側を内側とし、該収納空間側とは反対側を外側とした場合に、
前記連結機構は、一部が、前記底面部よりも外側に設けられたものであることが好ましい。【００１９】
こうすることで、袋体がベルト部材によって引き寄せられた際に、この袋体にかかる負荷が軽減される上、袋体の底側とベルト部材とを相対的に回動させやすくなる。【００２０】
さらに、本発明のバッグにおいて、前記連結機構は、
前記ベルト部材に設けられた連結部と、
前記底側に回動自在に設けられ前記連結部が連結される被連結部とを有するものであってもよい。【００２１】
ここで、前記連結機構は、前記底側に設けられたベース板を有するものであり、前記被連結部は、該ベース板に回動自在に取り付けられたものであってもよい。【００２２】
袋体の底側に回動自在に設けられた被連結部が回動することによって、連結部が設けられたベルト部材も回動する。このため、袋体の底側に対するベルト部材の姿勢が変化しても、連結された、連結部と被連結部との間にかかる負荷の増加を抑えることができる。【００２３】
また、本発明のバッグにおいて、前記連結機構は、
前記ベルト部材に設けられた連結部と、
前記底側に設けられ前記連結部が回動自在に連結される被連結部とを有するものであってもよい。【００２４】
ここで、前記連結部と前記被連結部は、いずれか一方が孔であり、いずれか他方がこの孔に係合するピン部材であってもよく、連結部を孔によって構成するとともに被連結部をピン部材によって構成し、このピン部材に、底鋲の機能を持たせてもよい。【００２５】
被連結部に連結された連結部が回動することによって、ベルト部材も回動する。このため、袋体の底側に対するベルト部材の姿勢が変化しても、連結された、連結部と被連結部との間にかかる負荷の増加を抑えることができる。【００２６】
さらに、本発明のバッグにおいて、前記袋体は、第１胴と第２胴との間に収納空間を有し、該第１胴と該第２胴を底側で繋ぐ底面部が設けられたものであり、
前記底面部における襠方向と直交する方向を横方向とした場合に、
前記被連結部は、前記底側における前記横方向両側部分それぞれに設けられたものであることが好ましい。【００２７】
ここで、前記袋体は、第１胴と第２胴を前記横方向両側それぞれで繋ぐ襠部が設けられたものであってもよいが、該襠部が特に設けられていないものであってもよい。前記袋体が襠部が設けられたものである場合には、該襠部に、前記持ち手から取り外したベルト部材、あるいは前記持ち手および前記袋体の両方から取外したベルト部材を収納可能な収納部を設けてもよい。【００２８】
使用者が持ち手を右肩にかける場合と左肩にかける場合とで、底側における横方向両側部分それぞれに設けられた被連結部を使い分けることによって、第１胴と第２胴とのうちの特定の一方が使用者の背中に接触する側になり、特定の他方が、使用者の背中に接触する側とは反対側になる姿勢、すなわち、特定の他方が使用者の背中側から視認可能になる姿勢で使用することができる。このため、装飾等が施された意匠面が、第１胴と第２胴のいずれかに特定されることが想定されたバッグにおいて、使用者が持ち手を右肩にかける場合と左肩にかける場合のいずれにおいても、その意匠面が使用者の背中側から視認可能になる姿勢で使用することができる。【００２９】
また、本発明のバッグにおいて、前記底面部に対して、前記収納空間側を内側とし、該収納空間側とは反対側を外側とした場合に、
前記被連結部は、前記底面部よりも外側に設けられたものであってもよい。【００３０】
被連結部を底面部よりも外側に設けることにより、袋体がベルト部材によって引き寄せられた際に袋体にかかる負荷が軽減される。【００３１】
また、本発明のバッグにおいて、前記ベルト部材と前記持ち手を取外し自在に連結する第２連結機構を備え、
前記第２連結機構は、
前記ベルト部材に設けられた第２連結部と、
前記持ち手の長手方向に沿って複数設けられた第２被連結部とを有するものであり、
前記第２連結部は、前記複数の第２被連結部のうちいずれか１つに連結されるものであってもよい。【００３２】
複数の第２被連結部のうちで、第２連結部を連結する第２被連結部を変えることによって、使用者の体型や好み等に応じて、ベルト部材の位置等を調整することができる。
【発明の効果】
【００３３】
本発明によれば、使い勝手が良いバッグを提供することができる。
【図面の簡単な説明】
【００３４】
【図１】（ａ）は、本発明の第１実施形態のバッグを正面から見た正面図であり、（ｂ）は、（ａ）に示すバッグを正面やや右斜め上方から見た斜視図である。
【図２】図１（ｂ）に示すバッグから被連結体と底カバーを分解した様子を示す分解斜視図である。
【図３】（ａ）は、図１（ａ）および同図（ｂ）に示すバッグの、第１持ち手と第２持ち手が使用者の肩にかけられ、袋体が使用者の背中側に位置する場合のバッグおよび使用者を、使用者の胸側から見た図であり、（ｂ）は、（ａ）に示した、バッグおよび使用者を、使用者の背中側から見た図である。
【図４】（ａ）および（ｂ）は、図１に示す袋体における第１襠部の第１収納部に、ベルト部材と第１被連結部材を収納する様子を示す図であり、（ｃ）および（ｄ）は、図１に示す袋体における第２襠部の第２収納部に、第２被連結部材６３を収納する様子を示す図である。
【図５】（ａ）は、本発明の第２実施形態のバッグを正面やや左斜め下方から見た斜視図であり、（ｂ）は、（ａ）に示すバッグを背面やや右斜め上方から見た斜視図である。
【図６】（ａ）は、図５（ａ）に示すバッグを右肩掛け状態にした様子を示す斜視図であり、（ｂ）は、（ａ）に示すバッグを正面やや左斜め上方から見た斜視図である。
【図７】（ａ）は、図５（ａ）および同図（ｂ）に示す左肩掛け状態のバッグの、第１持ち手と第２持ち手が使用者の肩にかけられ、袋体が使用者の背中側に位置する場合のバッグおよび使用者を、使用者の胸側から見た図であり、（ｂ）は、（ａ）に示した、バッグおよび使用者を、使用者の背中側から見た図である。
【図８】（ａ）は、図６（ａ）および同図（ｂ）に示す右肩掛け状態のバッグの、第１持ち手と第２持ち手が使用者の肩にかけられ、袋体が使用者の背中側に位置する場合のバッグおよび使用者を、使用者の胸側から見た図であり、（ｂ）は、（ａ）に示した、バッグおよび使用者を、使用者の背中側から見た図である。
【図９】（ａ）は、本発明の第３実施形態のバッグを正面やや右斜め上方から見た斜視図であり、（ｂ）は、ベルト部材の他端部分を示す斜視図であり、（ｃ）は、（ｂ）に示す摺動駒を、左斜め下方から見た図であり、（ｄ）は、（ｂ）に示す摺動駒を、右斜め下方から見た図である。
【図１０】（ａ）は、分解した、ベース上板とベース下板を示す斜視図であり、（ｂ）は、（ａ）に示すベース下板を上方から見た図であり、（ｃ）は、（ａ）に示すベース上板を下方から見た図である。
【図１１】（ａ）は、図１０（ｂ）のＡ−Ａ断面図を下に示し、図１０（ｃ）のＡ−Ａ断面図を上に示すとともに、摺動駒も示した図である。（ｂ）は、図１０（ｂ）のＢ−Ｂ断面図を下に示し、図１０（ｃ）のＢ−Ｂ断面図を上に示すとともに、摺動駒も示した図である。（ｃ）は、図１０（ｂ）のＣ−Ｃ断面図を下に示し、図１０（ｃ）のＣ−Ｃ断面図を上に示すとともに、摺動駒も示した図である。
【図１２】（ａ）は、図９（ａ）に示す第３実施形態のバッグの、第１持ち手と第２持ち手が使用者の肩にかけられ、袋体が使用者の背中側に位置する場合のバッグおよび使用者を、使用者の胸側（正面側）から見た図であり、（ｂ）は、（ａ）に示した、バッグおよび使用者を、使用者の背中側から見た図である。
【発明を実施するための形態】
【００３５】
以下、図面を参照して本発明の実施の形態を説明する。
【００３６】
本発明の一実施形態であるバッグは、第１胴と第２胴それぞれに持ち手が取り付けられた、２本手のバッグである。
【００３７】
図１（ａ）は、本発明の第１実施形態のバッグを正面から見た正面図である。また、図１（ｂ）は、図１（ａ）に示すバッグを正面やや右斜め上方から見た斜視図である。以下の説明では、図１（ａ）に示すバッグ１の左右方向（図１（ｂ）に示すバッグ１の左斜め上方と右斜め下方を結ぶ方向）を横方向と称することがあり、図１（ａ）に示すバッグ１の紙面と直交する方向（図１（ｂ）に示すバッグ１の左斜め下方と右斜め上方を結ぶ方向）を襠方向と称することがある。また、図１（ａ）に示すバッグ１の、襠方向手前側をバッグ１の正面側として説明し、襠方向奥側をバッグ１の背面側として説明する。
【００３８】
図１（ａ）および同図（ｂ）に示すように、第１実施形態のバッグ１は、袋体２と、袋体２にそれぞれ取り付けられた第１持ち手３および第２持ち手４と、ベルト部材５と、袋体２の底側に取り付けられた被連結体６と、底カバー７を備えている。袋体２は、正面側の第１胴２１および背面側の第２胴２２と、これら第１胴２１と第２胴２２を底側で繋ぐ底面部２５を備えている。さらに、図１（ｂ）に示すように、袋体２は、第１胴２１、第２胴２２および底面部２５を横方向右側で繋ぐ第１襠部２３と、第１胴２１、第２胴２２および底面部２５を横方向左側で繋ぐ第２襠部２４を備えている。第１胴２１と第２胴２２それぞれは、同一の大きさの矩形状のものである。以下の説明では、図１（ａ）に示す、正面側から見たバッグ１の右側をバッグ１の正面右側と称することがあり、正面側から見たバッグ１の左側をバッグ１の正面左側と称することがある。また、背面側から見たバッグ１の右側をバッグ１の背面右側と称することがあり、背面側から見たバッグ１の左側をバッグ１の背面左側と称することがある。
【００３９】
袋体２は、革製のものであり、内側に収納空間を有している。この収納空間には、バッグ１によって運搬される物が収納される。図１（ｂ）では、この収納空間を開放した状態を二点鎖線で示している。以下、図１（ｂ）の二点鎖線で示す、収納空間を開放した状態を、単に開放状態と称することがある。開放状態の袋体２の上端には、第１胴２１の上縁、第２胴２２の上縁、第１襠部２３の上縁、および第２襠部２４の上縁によって画定された、平面視略矩形状の開口部２ａが形成されている。この開口部２ａは、収納空間に繋がっている。また、図１（ｂ）では、この開口部２ａが閉じた状態を実線で示している。以下、図１（ｂ）の実線で示す、開口部２ａが閉じた状態を、単に閉じた状態と称することがある。袋体２を、開放状態から閉じた状態に変更するには、第１襠部２３および第２襠部２４それぞれの上端側部分を内側に折り畳みつつ第１胴２１の上縁と第２胴２２の上縁を重ね合わせ、第１胴２１の上縁と第２胴２２の上縁を重ね合わせた状態で袋体２の上端側部分を背面側に丸めればよい。なお、閉じた状態を維持するための留め具を袋体２に設けてもよい。また、袋体２の収納空間には、ノート型のパーソナルコンピュータや携帯情報端末などを収納するためのポケット部を設けてもよい。
【００４０】
ここで、持ち手が使用者の肩にかけられ、袋体が使用者の背中側に位置するように使用されるようなバッグでは、第１胴と第２胴のうちの特定の一方が、使用者の背中側から視認可能になる向きで持ち手を肩にかけることが想定されたものがある。以下、第１胴と第２胴のうちの特定の一方が、使用者の背中側から視認可能になる向きで持ち手を肩にかけることが想定されているバッグにおいて、この特定の一方を意匠面と称する。この意匠面は、例えば、装飾が施されている、あるいは逆にシンプルであるなどのデザイン性の点や、ポケットが設けられているなどの機能性の点から特定される。本実施形態のバッグ１は、後述するように、第１持ち手３と第２持ち手４が使用者の肩にかけられ、袋体２が使用者の背中側に位置する場合に、デザイン性の点から、袋体２の丸められた上端側部分が視認できる第２胴２２側が、使用者の背中側から視認可能になる向きで使用されることが想定されたものである。すなわち、第２胴２２が意匠面になる。
【００４１】
また、図１（ｂ）に示すように、第１襠部２３には、外側フラップ２３１ａおよび内側フラップ２３１ｂからなる第１収納部２３１が設けられている。これら外側フラップ２３１ａと内側フラップ２３１ｂそれぞれは、楕円を半分に切断したような形状の革製のものである。外側フラップ２３１ａは、第１胴２１の正面右側の縁と第１襠部２３との境界部分に縫い付けられ、襠方向における背面側に向けて延在した姿勢で第１襠部２３に設けられている。内側フラップ２３１ｂは、第２胴２２の正面右側の縁と第１襠部２３との境界部分に縫い付けられ、襠方向における正面側に向けて延在した姿勢で第１襠部２３に設けられている。以下、外側フラップ２３１ａと内側フラップ２３１ｂそれぞれにおける、袋体２に縫い付けられた側に対して襠方向の反対側を自由端側と称することがある。外側フラップ２３１ａと内側フラップ２３１ｂは、内側フラップ２３１ｂにおける自由端側部分に、外側フラップ２３１ａにおける自由端側部分が外側から重ねられて接続され、この重ねられた状態が不図示の面ファスナ等によって維持されている。これら互いに接続された、外側フラップ２３１ａおよび内側フラップ２３１ｂによって収納部２３１が構成される。また、図１（ｂ）では隠れているが、袋体２の正面左側の第２襠部２４にも、第１襠部２３に設けられた第１収納部２３１と同様の、外側フラップ２４１ａおよび内側フラップ２４１ｂからなる第２収納部２４１が設けられている（図４（ｃ）および同図（ｄ）参照）。これら第１収納部２３１と第２収納部２４１の用途は、図４を用いて後述する。
【００４２】
第１持ち手３は、第１胴２１に取り付けられたアーチ状のものであり、その下端部分が第１胴２１に縫い合わされることで袋体２に固定されている。また、第１持ち手３は、貫通孔をそれぞれ有する第１リング部材３１と第２リング部材３２とを備えている。第１リング部材３１は第１持ち手３の正面右側部分に設けられ、第２リング部材３２は第１持ち手３の正面左側部分に設けられている。図１（ｂ）に示すように、第２持ち手４は、第２胴２２に取り付けられたアーチ状のものであり、その下端部分が第２胴２２に縫い合わされることで袋体２に固定されている。第１持ち手３および第２持ち手４は、使用者Ｈ（図３参照）が肩にかけることが可能な長さを有するものである。なお、本実施形態では、第２持ち手４には、第１リング部材と第２リング部材が設けられていないが、第１持ち手３に代えて、第２持ち手４に第１リング部材と第２リング部材を設けてもよく、第１持ち手３と第２持ち手４の双方に、第１リング部材と第２リング部材を設けてもよい。
【００４３】
次に、図２も参照しつつ、被連結体６と底カバー７について説明する。
【００４４】
図２は、図１（ｂ）に示すバッグから被連結体と底カバーを分解した様子を示す分解斜視図である。なお、図２では、図面を簡略化するためベルト部材５は省略している。
【００４５】
図２に示すように、被連結体６は、ベース板６１と、このベース板６１に回動自在にそれぞれ取り付けられた第１被連結部材６２および第２被連結部材６３を備えている。
【００４６】
ベース板６１は、例えばコルク製のものである。このため、後述するように、第１持ち手３と第２持ち手４が使用者の肩にかけられ、袋体２が使用者の背中側に位置する場合に、ベース板６１が使用者の背中に接触した状態における使用者が感じる痛みや、バッグ１が揺れてベース板６１が使用者の背中に当ったときの使用者にかかる衝撃を軽減することができる。なお、ベース板６１は、コルク以外の緩衝性が高い素材、例えば、ウレタンやゴムなどで構成してもよく、使用者の背中に接触する部分に緩衝材を設けた樹脂製の板材でベース板６１を構成してもよい。さらに、ベース板６１における、使用者の背中に接触する部分の形状を、使用者の胴体にぴったりと合うような、例えば円弧状等にしてもよい。また、ベース板６１は、袋体２の収納空間に収納された物の荷重を受ける底敷きの機能と、バッグ１を床や地面に置いたときにバッグ１を安定させる機能をも併せ持つものである。
【００４７】
ベース板６１は、その上面に接着面６１１を有し、横方向両端側部分それぞれに、段状に切欠かれた取付面６１２が形成されている。これら取付面６１２，６１２のうち、正面右側の取付面６１２には第１被連結部材６２が設けられ、正面左側の取付面６１２には第２被連結部材６３が設けられている。第１被連結部材６２および第２被連結部材６３それぞれは、リング状の被連結リング６２１，６３１と、帯状の被連結帯６２２，６３２を有している。被連結帯６２２，６２３は、その一端側が被連結リング６２１，６３１に巻き掛けられた状態で被連結リング６２１，６３１に取り付けられ、他端側がベース板６１の取付面６１２，６１２それぞれに、軸ピン６４，６４によって回動自在に取り付けられている。これにより、図２の円弧状の両矢印で示すように、第１被連結部材６２および第２被連結部材６３それぞれは、ベース板６１に対し軸ピン６４を軸に、水平面内において回動自在に構成されている。なお、軸ピン６４，６４に代えて、ボールベアリングなどの軸受機構を設け、第１被連結部材６２および第２被連結部材６３の回動をスムーズにする態様を採用してもよいし、ギヤ機構を設け、第１被連結部材６２および第２被連結部材６３が段階的に回動する態様を採用してもよい。底カバー７は、袋体２と同じ革製のものであり、図１（ａ）に示すように、下面に底鋲７１が設けられている。
【００４８】
被連結体６は、ベース板６１の接着面６１１が袋体２の底面部２５に接着されることによって、袋体２の底面部２５に固定される。また、底カバー７は、ベース板６１を底側から覆った状態で、第１胴２１と底面部２５との境界部分、および第２胴２２と底面部２５との境界部分に縫い合わされている。なお、底カバー７は、第１襠部２３と底面部２５との境界部分とは縫い合わされておらず、第２襠部２４と底面部との境界部分とも縫い合わされていない。これらによって、図１（ａ）に示すように、被連結リング６２１，６３１それぞれは、袋体２よりも横方向外側に飛び出した状態になっている。このようにして袋体２に被連結体６が取り付けられると、被連結体６は、底面部２５の下側に位置することになる。すなわち、底面部２５に対して、収納空間側を内側とし、収納空間側とは反対側を外側とした場合に、被連結体６は、底面部２５よりも外側に設けられたものである。また、図１（ａ）の鎖線で示すように、底面部２５と取付面６１２との間には隙間が生じているため、被連結体６が袋体２に取り付けられた状態においても、第１被連結部材６２および第２被連結部材６３それぞれの回動動作が妨げられることがない。なお、被連結体６は、必ずしも底面部２５に接着する必要はなく、底カバー７に接着する態様にしてもよく、また、面ファスナや留め具等を用いて、被連結体６を、底面部２５あるいは底カバー７に着脱自在に取り付ける態様にしてもよい。ここで、被連結体６を着脱自在に取り付ける態様を採用した場合には、底カバー７も、袋体２に対して着脱自在にし、被連結体６と底カバー７を取り外した状態でも使用可能な態様にしてもよい。
【００４９】
図１（ａ）および同図（ｂ）に示すように、ベルト部材５は、長尺状の平帯５１と、ベルト部材５の一端部分に設けられた一端側リング部材５２と、この一端側リング部材５２に取り付けられた一端側カラビナ５３と、前記一端部分に対するベルト部材５の他端部分に設けられた他端側リング部材５４と、この他端側リング部材５４に取り付けられた他端側カラビナ５５と、ベルト部材５の長さ調整をするためのコキ５６を備えている。一端側カラビナ５３および他端側カラビナ５５は、一部に可動部品が設けられた略Ｄ型のリング状をした金具であり、その可動部品を動かすことで、金具の一部が開放され、他のリングなどと連結させることが可能なものである。この一端側カラビナ５３は、第１持ち手３の、第１リング部材３１または第２リング部材３２に着脱自在に連結されるものである。また、他端側カラビナ５５は、第１被連結部材６２の被連結リング６２１、または第２被連結部材６３の被連結リング６３１に着脱自在に連結されるものである。図２を用いて前述したように、第１被連結部材６２と第２被連結部材６３は、ベース板６１に回動自在に取り付けられている。このため、袋体２における底側の底面部２５に取り付けられた被連結体６と、ベルト部材５の他端側に設けられた他端側カラビナ５５とは、相対的に回動自在に連結されている。すなわち、袋体２の底側とベルト部材５とは相対的に回動自在に連結し、被連結体６と他端側カラビナ５５は、本発明にいう連結機構に相当する。また、他端側カラビナ５５は、本発明にいう連結部に相当し、被連結体６の、第１被連結部材６２と第２被連結部材６３は、本発明にいう被連結部に相当する。なお、第１被連結部材６２の被連結帯６２２、および第２被連結部材６３の被連結帯６３２それぞれを屈曲自在な素材で構成し、これら被連結帯６２２，６３２それぞれをベース板６１に固定する態様にしてもよい。この態様によっても、それぞれの被連結帯６２２，６３２が屈曲することにより、被連結体６とベルト部材５とを相対的に回動自在に連結させることができる。
【００５０】
図１（ａ）および同図（ｂ）では、一端側カラビナ５３が第２リング部材３２に連結され、他端側カラビナ５５が、第１被連結部材６２の被連結リング６２１に連結された様子が実線で示されている。この実線で示すベルト部材５は、後述するように、使用者が、第１持ち手３と第２持ち手４を右肩にかける場合の連結状態である。以下、第１持ち手３と第２持ち手４を使用者の右肩にかけるようにベルト部材５が連結されたバッグ１の状態を右肩掛け状態と称することがある。また、図１（ａ）では、一端側カラビナ５３が第１リング部材３１に連結され、他端側カラビナ５５が、第２被連結部材６３の被連結リング６３１に連結された様子が二点鎖線で示されている。この二点鎖線で示すベルト部材５は、後述するように、使用者が第１持ち手３と第２持ち手４を左肩にかける場合の連結状態である。以下、第１持ち手３と第２持ち手４を使用者の左肩にかけるようにベルト部材５が連結されたバッグ１の状態を左肩掛け状態と称することがある。このように、バッグ１は、ベルト部材５の連結状態を変更することによって、右肩掛け状態と、左肩掛け状態とに状態変化可能なものである。なお、実線で示す右肩掛け状態における第１被連結部材６２、および二点鎖線で示す左肩掛け状態における第２被連結部材６３は、それぞれの被連結帯６２２，６３２が変形して、被連結リング６２１，６３１の姿勢が横方向外側に向けて上方に傾斜している。これらのように、第１被連結部材６２および第２被連結部材６３は、上述した水平面内における回動に加えて、被連結リング６２１，６３１の姿勢が、上下方向に変更可能なものである。
【００５１】
コキ５６は、矩形状の枠体と、対向する一対の辺どうしを接続した軸とが一体に成形された樹脂製あるいは金属製のものである。平帯５１の一端は、一端側リング部材５２に固定されている。平帯５１の他端側部分は、コキ５６に通されて他端側リング部材５４で折り返されている。また、平帯５１の他端は、コキ５６の軸に固定されている。ベルト部材５は、コキ５６の平帯５１に対する位置を変更して折り返されている部分の長さを変えることで、その長さを調整することが可能である。ベルト部材５は、第１胴２１と離間自在に構成されており、ベルト部材５の長さを調整することでその離間の程度を調整することができる。
【００５２】
図３（ａ）は、図１（ａ）および同図（ｂ）に示すバッグの、第１持ち手と第２持ち手が使用者の肩にかけられ、袋体が使用者の背中側に位置する場合のバッグおよび使用者を、使用者の胸側（正面側）から見た図である。図３（ｂ）は、同図（ａ）に示した、バッグおよび使用者を、使用者の背中側から見た図である。図３（ａ）および同図（ｂ）では、右肩掛け状態のバッグを実線で示し、左肩掛け状態のバッグを二点鎖線で示している。本実施形態のバッグ１は様々な使用状態で使用することが可能なバッグであるが、この図３（ａ）および同図（ｂ）に示された状態が、本発明において想定している所定の使用状態の一例である。
【００５３】
図３の実線で示す、右肩掛け状態のバッグ１は、ベルト部材５の一端側カラビナ５３が第１持ち手３の第２リング部材３２に連結され、他端側カラビナ５５が第１被連結部材６２の被連結リング６２１に連結されている。このバッグ１は、第１持ち手３と第２持ち手４が使用者Ｈの右肩にかけられた状態で、ベルト部材５と袋体２との間に使用者Ｈの胴体が通され、袋体２が使用者Ｈの背中側に位置している。これによって、図３（ａ）に示すように、袋体２の第１胴２１が使用者Ｈの背中に接触した状態になり、同図（ｂ）に示すように、意匠面になる第２胴２２が、使用者Ｈの背中側から視認可能な状態になっている。ベルト部材５は、使用者Ｈの胸側（正面側）において、第１持ち手３と第２持ち手４がかけられた使用者Ｈの右肩とは反対側の左肩が存在する体側（以下、逆体側と称することがある）に向かって、ベルト部材５が連結された第１持ち手３を引っ張っている。また、ベルト部材５は、袋体２の底面部２５に取り付けられた被連結体６を、使用者Ｈの胴体の背中側から胸側に回り込んで引っ張ることによって、使用者Ｈの背中側において、逆体側に向って袋体２を引っ張っている。これらによって、袋体２の第１胴２１が使用者Ｈの背中に押し付けられている。すなわち、ベルト部材５は、使用者Ｈの胸側で、第１持ち手３と袋体２の底側とを互いに引き寄せることで、袋体２の第１胴２１が使用者Ｈの背中に接触した状態を維持するものである。これにより、袋体２が揺れ動くことが抑制され、袋体２を安定した姿勢で所持することができる。さらに、第１被連結部材６２は、ベース板６１に回動自在に取り付けられているため、使用者Ｈの体格や袋体２に収納した物の形や量に応じて、被連結体６とベルト部材５との相対的な向きが変化しても、この変化に応じて、第１被連結部材６２が回動する。このため、第１被連結部材６２あるいはベルト部材５の他端側カラビナ５５等に捩れ等が生じにくくなり、使用者Ｈの背中と袋体２との間に不用意に隙間が生じてしまうことが抑えられ、袋体２をより安定した姿勢で所持できる。またさらに、被連結体６に対する、ベルト部材５の他端側カラビナ５５の姿勢が変化しても、この変化に応じて、第１被連結部材６２が回動するため、連結された、他端側カラビナ５５と第１被連結部材６２との間にかかる負荷の増加を抑えることができる。さらにまた、袋体２の底面部２５よりも外側に設けられらた被連結体６がベルト部材５によって引っ張られるため、ベルト部材５によって引っ張られた際に袋体２にかかる負荷が軽減される。
【００５４】
なお、使用者Ｈは、この右肩掛け状態において、平帯５１に対するコキ５６の位置を変えてベルト部材５の長さを調整することによって、ベルト部材５と第１胴２１との離間の程度を調整することができる。これにより、ベルト部材５が、第１持ち手３と被連結体６を引っ張る程度を調整することができる。また、ベルト部材５の一端側カラビナ５３が第１持ち手３に着脱自在に連結され、ベルト部材５の他端側カラビナ５５が第１被連結部材６２に着脱自在に連結されるため、一端側カラビナ５３と他端側カラビナ５５のうちの一方を取り外し、ベルト部材５と袋体２との間に使用者Ｈの胴体を容易に通すことができる。さらに、第２リング部材を第２持ち手４に設け、この第２リング部材に他端側カラビナ５５を連結する態様を採用すれば、ベルト部材５によって第２持ち手４が逆体側に向かって引っ張られ、第２持ち手４が使用者Ｈの肩からずれ落ちることを抑制することができる。
【００５５】
図３の二点鎖線で示す左肩掛け状態では、バッグ１は、ベルト部材５の一端側カラビナ５３が第１持ち手３の第１リング部材３１に連結され、他端側カラビナ５５が第２被連結部材６３の被連結リング６３１に連結されている。これによって、図３（ｂ）に示すように、左肩掛け状態においても意匠面になる第２胴２２が使用者Ｈの背中側から視認可能な状態になっている。また、この左肩掛け状態においても、被連結体６とベルト部材５との相対的な向きに応じて、第２被連結部材６３が回動し、第２被連結部材６３あるいはベルト部材５の他端側カラビナ５５等に捩れ等が生じにくくなるなど、右肩掛け状態と同様の効果が得られる。
【００５６】
続いて、ベルト部材５を使用しない場合に、このベルト部材５、第１被連結部材６２および第２被連結部材６３を、袋体２の第１収納部２３１や第２収納部２４１に収納する態様について説明する。
【００５７】
図４（ａ）および同図（ｂ）は、図１に示す袋体における第１襠部の第１収納部に、ベルト部材と第１被連結部材を収納する様子を示す図であり、図４（ｃ）および同図（ｄ）は、図１に示す袋体における第２襠部の第２収納部に、第２被連結部材を収納する様子を示す図である。図４では、袋体２を開放状態にしてベルト部材５等を収納する場合を例にとって説明するが、袋体２を閉じた状態にしてベルト部材５等を収納してもよい。
【００５８】
ベルト部材５を使用しない場合には、ベルト部材５の一端側カラビナ５３を第２リング部材３２から取り外し、取り外した一端側カラビナ５３を、図４（ａ）に示すように第１被連結部材６２の被連結リング６２１に取り付ける。また、第１襠部２３の、外側フラップ２３１ａと内側フラップ２３１ｂとの、面ファスナ等による接続を解除し、図４（ａ）に示すように外側フラップ２３１ａの自由端側と内側フラップ２３１ｂの自由端側をそれぞれ開く。次いで、自由端側がそれぞれ開いた状態の、外側フラップ２３１ａと内側フラップ２３１ｂとの間に、ベルト部材５および第１被連結部材６２を挿入する。次に、内側フラップ２３１ｂの自由端側と外側フラップ２３１ａの自由端側を順番に閉じ、図４（ｂ）に示すように、内側フラップ２３１ｂの自由端側部分に外側フラップ２３１ａの自由端側部分を重ね、不図示の面ファスナ等によって内側フラップ２３１ｂと外側フラップ２３１ａとを接続する。これによって、内側フラップ２３１ｂと外側フラップ２３１ａからなる第１収納部２３１に、ベルト部材５および第１被連結部材６２を収納することができる。
【００５９】
一方、第２被連結部材６３を第２収納部２４１に収納するには、初めに、図４（ｃ）に示すように、第２襠部２４の、外側フラップ２４１ａと内側フラップ２４１ｂの接続を解除し、外側フラップ２４１ａの自由端側と内側フラップ２４１ｂの自由端側をそれぞれ開く。次いで、内側フラップ２４１ｂの自由端側を閉じ、閉じた内側フラップ２４１ｂの自由端側部分に第２被連結部材６３を重ねる。次に、外側フラップ２４１ａの自由端側を閉じ、図４（ｄ）に示すように、不図示の面ファスナ等によって内側フラップ２４１ｂの自由端側部分に外側フラップ２４１ａの自由端側部分を接続する。これによって、内側フラップ２４１ｂと外側フラップ２４１ａとの間に第２被連結部材６３が挟まれた状態になり、第２被連結部材６３を第２収納部２４１に収納することができる。なお、第２被連結部材６３は、外側フラップ２４１ａおよび内側フラップ２４１ｂの内側に収納してもよい。
【００６０】
また、ベルト部材５を使用する場合であっても、図３に示す、右肩掛け状態または左肩掛け状態における、ベルト部材５が連結されていない、第１被連結部材６２または第２被連結部材６３を、第１収納部２３１または第２収納部２４１に収納してもよい。さらに、第１収納部２３１および第２収納部２４１には、清涼飲料水などのペットボトルや小物類等を収納することもできる。
【００６１】
続いて、他の実施形態のバッグ１について説明する。以下の他の実施形態の説明では、これまで説明した構成要素の名称と同じ名称の構成要素には、これまで用いた符号と同じ符号を付して説明する。また、第１実施形態のバッグ１の説明と重複する説明は省略することがある。
【００６２】
図５（ａ）は、本発明の第２実施形態のバッグを正面やや左斜め下方から見た斜視図である。また、図５（ｂ）は、同図（ａ）に示すバッグを背面やや右斜め上方から見た斜視図である。図５（ａ）および同図（ｂ）では、バッグ１の、左斜め上方と右斜め下方とを結ぶ方向が横方向になり、バッグ１の、右斜め上方と左斜め下方とを結ぶ方向が襠方向になる。以下の説明では、図５（ａ）に示す、正面側から見たバッグ１の右側をバッグ１の正面右側と称することがあり、正面側から見たバッグ１の左側をバッグ１の正面左側と称することがある。また、図５（ｂ）に示す、背面側から見たバッグ１の右側をバッグ１の背面右側と称することがあり、背面側から見たバッグ１の左側をバッグ１の背面左側と称することがある。
【００６３】
図５（ａ）および同図（ｂ）に示すように、第２実施形態のバッグ１は、いわゆるボストンバッグタイプのものであり、袋体２と、袋体２にそれぞれ取り付けられた第１持ち手３および第２持ち手４と、ベルト部材５と、袋体２の底側に取り付けられた複数の被連結ピン６５を備えている。
【００６４】
袋体２は、革製のものであり、正面側の第１胴２１および背面側の第２胴２２と、これら第１胴２１と第２胴２２を底側で繋ぐ底面部２５と、第１胴２１と第２胴２２を上側で繋ぐ上面部２６を備えている。さらに、袋体２は、第１胴２１、第２胴２２、底面部２５および上面部２６を正面右側で繋ぐ第１襠部２３と、第１胴２１、第２胴２２、底面部２５および上面部２６を正面左側で繋ぐ第２襠部２４を備えている。第１胴２１と第２胴２２それぞれは、同一の大きさの矩形状のものであり、底面部２５と上面部２６それぞれは、略同一の大きさの矩形状のものであり、第１襠部２３と第２襠部２４それぞれは、同一の大きさの矩形状のものである。
【００６５】
袋体２は、内側に収納空間を有し、また、上面部２６、第１襠部２３、底面部２５、および第２襠部２４にかけて一周連続したファスナ２７が設けられている。このファスナ２７の不図示の引手を操作することによって、上面部２６側や第１襠部２３側、あるいは第２襠部２４側のうちのどこからでもファスナ２７の開閉や収納空間への物の出し入れを行うことができる。このファスナ２７には、例えば、不図示の引手から手を離すと自動的にロックがかかり、引手を引っ張ることによってロックが外れるものを採用してもよい。なお、袋体２の収納空間には、ノート型のパーソナルコンピュータや携帯情報端末などを収納するためのポケット部やペン挿し等を設けてもよい。
【００６６】
図５（ｂ）に示すように、第２胴２２には、第２ファスナ２２１が設けられ、この第２ファスナ２２１を開けると、第２ファスナ２２１の開口部に繋がる、不図示の収納ポケットが設けられている。この収納ポケットには、取り外したベルト部材５を収納することもできる。第２実施形態のバッグ１は、後述するように、第１持ち手３と第２持ち手４が使用者の肩にかけられ、袋体２が使用者の背中側に位置する場合に、第２ファスナ２２１が設けられた第２胴２２側が、使用者の背中側から視認可能な姿勢で使用されることが想定されたものである。すなわち、第２胴２２が意匠面になる。なお、収納ポケットに柄や色彩等の意匠を施し、収納ポケットを使用しない場合には第２ファスナ２２１を開けたままにして、収納ポケットに施された柄等が使用者の背中側から視認できる状態で使用してもよい。
【００６７】
第１持ち手３は、第１胴２１にそれぞれ縫い合わされた一対の取付部３３と、アーチ状の把持部３４と、把持部３４の正面右側部分に取り付けられた長方形状の被連結部形成片３５を備えたものである。図５（ａ）の円Ａで囲んだ部分に拡大して示すように、被連結部形成片３５は、その長手方向に所定の間隔をあけて形成された複数の切込部３５ａを有している。これら複数の切込部３５ａそれぞれは、被連結部形成片３５における背面側と正面側とを貫通するとともに、被連結部形成片３５の長手方向に直交する方向の切込みが入れられたものである。これら複数の切込部３５ａに対して、把持部３４が、背面側から正面側と、正面側から背面側とに交互に挿通されることで、把持部３４の一部が被連結部形成片３５の正面側に円弧状に飛び出し、この飛び出した部分によって第２被連結部３４ａが形成されている。第２実施形態のバッグ１では、被連結部形成片３５に６つの切込部３５ａが形成され、第１持ち手３に、その長手方向に沿って設けられた３つの第２被連結部３４ａが形成されている。なお、把持部３４に対する被連結部形成片３５の位置を変更することによって、第１持ち手３における第２被連結部３４ａが形成される位置を変更することができる。
【００６８】
図５（ｂ）に示すように、第２持ち手４は、第２胴２２にそれぞれ縫い合わされた一対の取付部４３と、アーチ状の把持部４４と、長方形状の被連結部形成片４５を備えたものである。第２持ち手４では、把持部４４の背面右側部分に被連結部形成片４５が取り付けられ、第１持ち手３の第２被連結部３４ａと同様にして３つの第２被連結部４４ａが形成されている。
【００６９】
図５（ａ）に示すように、複数の被連結ピン６５それぞれは、袋体２の底側である、底面部２５の下面に設けられている。すなわち、底面部２５を基準にし、収納空間側を内側とし、収納空間側とは反対側を外側とした場合に、被連結ピン６５それぞれは、底面部２５よりも外側に設けられたものである。図５（ａ）の円Ｂで囲んだ部分に拡大して示すように、複数の被連結ピン６５それぞれは、底面部２５に固定される固定部６５１と、抜止用の頭部６５２と、固定部６５１と頭部６５２を接続する首部６５３を有している。ここで、被連結ピン６５の個数は限定されるものではないが、第２実施形態のバッグ１では、６つの被連結ピン６５が設けられている。これら６つの被連結ピン６５は、底面部２５の四隅部分と、底面部２５の横方向中央における、正面側部分と背面側部分それぞれに設けられている。以下、底面部２５の正面左側における正面側に設けられた被連結ピン６５を正面左の被連結ピン６５と称し、底面部２５の正面右側における正面側に設けられた被連結ピン６５を正面右の被連結ピン６５と称する。また、これら６つの被連結ピン６５は、図１（ａ）に示す、第１実施形態のバッグ１における底鋲７１の機能も有するものである。
【００７０】
図５では、左肩掛け状態のバッグ１を示している。ベルト部材５は、長尺状の平帯５１と、ベルト部材５の一端部分に設けられた連結部材５７を備え、前記一端部分に対するベルト部材５の他端部分に相当する、平帯５１の他端部分には、平帯５１の長手方向に互いに所定の間隔をあけた複数の差込孔５１ａが形成されている。第２実施形態のバッグ１では、４つの差込孔５１ａが形成されている。図５（ａ）の円Ａ内に拡大して示すように、連結部材５７は、平帯５１に取り付けられた基部５７１と、この基部５７１の先端部分に可動可能に取付られた鍵状のフック部５７２と、楕円リング状のロックリング５７３を備えている。フック部５７２は、基部５７１に対して開く方向に付勢された状態で基部５７１に取り付けられたものであり、ロックリング５７３が外されることでフック部５７２が開き、このフック部５７２を被連結部に連結させることが可能なものである。図５（ａ）に示す連結部材５７は、第１持ち手３の３つの第２被連結部３４ａのうちの真中の第２被連結部３４ａにフック部５７２が引っ掛けられた状態でフック部５７２がロックリング５７３によってロックされている。これによって、連結部材５７が第２被連結部３４ａに連結されている。なお、連結部材５７と第２被連結部３４ａとの連結を解除する場合には、ロックリング５７３をフック部５７２から外してフック部５７２を開き、フック部５７２を第２被連結部３４ａから取り外せばよい。
【００７１】
また、平帯５１の他端部分に形成された複数の差込孔５１ａそれぞれは、平帯５１の長手方向に沿った切り込みが形成され、その孔を拡開できるものである。このため、差込孔５１ａを被連結ピン６５の頭部６５２に当てながら平帯５１を被連結ピン６５に押し付けることによって差込孔５１ａが拡開する。これによって、被連結ピン６５の頭部６５２が差込孔５１ａを通過し、差込孔５１ａに被連結ピン６５の首部６５３が挿通された連結状態になる。図５（ａ）では、４つの差込孔５１ａのうち、平帯５１の他端部から２つ目の差込孔５１ａが、上記正面左の被連結ピン６５に連結されている。被連結ピン６５と差込孔５１ａが連結された状態では、頭部６５２によって被連結ピン６５から平帯５１が不用意に抜けてしまうことが阻止され、また、図５（ａ）の円弧状の両矢印で示すように、袋体２の底面部２５に対してベルト部材５の他端側が回動自在に連結されている。すなわち、被連結ピン６５と差込孔５１ａは、本発明にいう連結機構に相当する。なお、被連結ピン６５にボールベアリングなどの軸受機構を設け、被連結ピン６５に対するベルト部材５の他端側の回動をスムーズにする態様を採用してもよいし、被連結ピン６５にギヤ機構を設け、被連結ピン６５に対してベルト部材５の他端側が段階的に回動する態様を採用してもよい。差込孔５１ａは、本発明にいう連結部に相当し、被連結ピン６５は、本発明にいう被連結部に相当する。なお、被連結ピン６５と差込孔５１ａの連結を解除するには、平帯５１を被連結ピン６５から離れる方向に引っ張ればよい。これによって、差込孔５１ａが拡開し、差込孔５１ａが被連結ピン６５の頭部６５２から抜けて被連結ピン６５と差込孔５１ａの連結を解除することができる。
【００７２】
続いて、図６を用いて、第２実施形態のバッグ１における右肩掛け状態を説明する。
【００７３】
図６（ａ）は、図５（ａ）に示すバッグにおけるベルト部材を右肩掛け状態にした様子を示す斜視図である。また、図６（ｂ）は、同図（ａ）に示すバッグを正面やや左斜め上方から見た斜視図である。図６（ａ）では、バッグ１の、左斜め上方と右斜め下方とを結ぶ方向が横方向になり、バッグ１の、右斜め上方と左斜め下方とを結ぶ方向が襠方向になる。図６（ｂ）では、バッグ１の、右斜め上方と左斜め下方とを結ぶ方向が横方向になり、バッグ１の、左斜め上方と右斜め下方とを結ぶ方向が襠方向になる。
【００７４】
右肩掛け状態のバッグ１では、同図（ａ）に示すように、上記正面右の被連結ピン６５にベルト部材５の差込孔５１ａが連結されている。なお、図６（ａ）では、ベルト部材５の４つの差込孔５１ａのうち、平帯５１の他端部から２つ目の差込孔５１ａが被連結ピン６５に連結されている。この右肩掛け状態のバッグ１でも、円弧状の両矢印で示すように、袋体２の底面部２５に対してベルト部材５の他端側が回動自在に連結されている。
【００７５】
また、図６（ｂ）に示すように、ベルト部材５の一端側に設けられた連結部材５７は、第２持ち手４の被連結部形成片４５部分に形成された第２被連結部４４ａ（図５（ｂ）参照）に連結されている。なお、図６（ｂ）では、３つの第２被連結部４４ａのうち、真中の第２被連結部４４ａが選択され、連結部材５７が連結されている。
【００７６】
図７（ａ）は、図５（ａ）および同図（ｂ）に示す左肩掛け状態のバッグの、第１持ち手と第２持ち手が使用者の肩にかけられ、袋体が使用者の背中側に位置する場合のバッグおよび使用者を、使用者の胸側から見た図である。図７（ｂ）は、同図（ａ）に示した、バッグおよび使用者を、使用者の背中側から見た図である。
【００７７】
図７に示すように、左肩掛け状態のバッグ１は、第１持ち手３と第２持ち手４が使用者Ｈの左肩にかけられた状態で、ベルト部材５と袋体２との間に使用者Ｈの胴体が通され、袋体２が使用者Ｈの背中側に位置している。また、図７（ａ）に示すように、ベルト部材５の連結部材５７が第１持ち手３の第２被連結部３４ａに連結され、図７（ｂ）に示すように、ベルト部材５の差込孔５１ａが、上記正面左の被連結ピン６５に連結されている。これによって、袋体２の第１胴が使用者Ｈの背中に接触した状態になり、図７（ｂ）に示すように、意匠面になる第２胴２２が、使用者Ｈの背中側から視認可能な状態になっている。ベルト部材５は、使用者Ｈの胸側において、逆体側に向かって、ベルト部材５の連結部材５７が連結された第１持ち手３を引っ張っている。また、ベルト部材５は、袋体２の底面部２５に設けられた上記正面左の被連結ピン６５を、使用者Ｈの胴体の背中側から胸側に回り込むように引っ張ることによって、使用者Ｈの背中側において、逆体側に向って袋体２を引っ張っている。これらによって、袋体２の第１胴２１が使用者Ｈの背中に押し付けられている。すなわち、ベルト部材５は、使用者Ｈの胸側で、第１持ち手３と袋体２の底側とを互いに引き寄せることで、袋体２の一部が使用者Ｈの背中に接触した状態を維持するものである。これにより、袋体２が揺れ動くことが抑制され、袋体２を安定した姿勢で所持することができる。さらに、上述したように、ベルト部材５の差込孔５１ａと被連結ピン６５は、回動自在に連結されているため、使用者Ｈの体格や袋体２に収納した物の形や量に応じて、被連結ピン６５とベルト部材５との相対的な向きが変化しても、この変化に応じて、被連結ピン６５に対してベルト部材５が回動する。このため、ベルト部材５の他端側部分等に捩れ等が生じにくくなり、使用者Ｈの背中と袋体２との間に不用意に隙間が生じてしまうことが抑えられ、袋体２をより安定した姿勢で所持できるとともに、差込孔５１ａと被連結ピン６５との間にかかる負荷の増加を抑えることができる。またさらに、使用者Ｈの体格等に応じて、ベルト部材５の４つの差込孔５１ａのうちから被連結ピン６５に連結させる差込孔５１ａを選択することができる。
【００７８】
図８（ａ）は、図６（ａ）および同図（ｂ）に示す右肩掛け状態のバッグの、第１持ち手と第２持ち手が使用者の肩にかけられ、袋体が使用者の背中側に位置する場合のバッグおよび使用者を、使用者の胸側から見た図である。図８（ｂ）は、同図（ａ）に示した、バッグおよび使用者を、使用者の背中側から見た図である。
【００７９】
図８に示すように、右肩掛け状態のバッグ１は、第１持ち手３と第２持ち手４が使用者Ｈの右肩にかけられた状態で、ベルト部材５と袋体２との間に使用者Ｈの胴体が通され、袋体２が使用者Ｈの背中側に位置している。また、図８（ａ）に示すように、ベルト部材５の連結部材５７が第２持ち手４の第２被連結部４４ａに連結され、同図（ｂ）に示すように、ベルト部材５の差込孔５１ａが、上記正面右の被連結ピン６５に連結されている。これによって、図８（ｂ）に示すように、意匠面になる第２胴２２が外側になり、この第２胴２２が使用者Ｈの背中側から視認可能になっている。また、この右肩掛け状態においても、被連結ピン６５とベルト部材５との相対的な向きが変化しても、この変化に応じて、被連結ピン６５に対してベルト部材５が回動するため、ベルト部材５の他端側部分等に捩れ等が生じにくくなり袋体２を安定した姿勢で所持できるなど、左肩掛け状態と同様の効果が得られる。
【００８０】
図９（ａ）は、本発明の第３実施形態のバッグを正面やや右斜め上方から見た斜視図である。図９（ａ）では、バッグ１の、左斜め上方と右斜め下方とを結ぶ方向が横方向になり、バッグ１の、右斜め上方と左斜め下方とを結ぶ方向が襠方向になる。
【００８１】
図９（ａ）に示すように、第３実施形態のバッグ１は、図１に示す、第１実施形態のバッグ１と同様の、いわゆるトートタイプのものであり、袋体２と、袋体２にそれぞれ取り付けられた第１持ち手３および第２持ち手４と、ベルト部材５と、袋体２の底側に取り付けられた被連結体６を備えている。被連結体６は、ベース下板６７と、このベース下板６７の上側に重ねられたベース上板６６を有し、ベース上板６６が袋体２の底側に固定されている。また、袋体２の上端には、第１胴２１の上縁、第２胴２２の上縁、第１襠部２３の上縁、および第２襠部２４の上縁によって画定された、平面視略矩形状の開口部２ａが形成されている。第３実施形態のバッグ１は、第１持ち手３と第２持ち手４が使用者の肩にかけられ、袋体２が使用者の背中側に位置する場合に、第２胴２２側が、使用者の背中側から視認可能になる向きで使用されることが想定されたものである。すなわち、第２胴２２が意匠面になる。第１襠部２３には、その上側部分における、襠方向中央部分に、リングを備えた第１引掛け部材２３２が設けられている。また、図９（ａ）では隠れているが、第２襠部２４にも、その上側部分における、襠方向中央部分に、リングを備えた第２引掛け部材２４２が設けられている（図１２参照）。
【００８２】
図９（ａ）に示すように、ベルト部材５は、長尺状の平帯５１と、ベルト部材５の一端部分に設けられた一端側リング部材５２と、この一端側リング部材５２に取り付けられた一端側カラビナ５３と、ベルト部材５の長さ調整をするためのコキ５６を備えている。平帯５１の一端側部分は、コキ５６に通されて一端側リング部材５２で折り返されている。また、平帯５１の一端は、コキ５６の軸に固定されている。ベルト部材５は、コキ５６の平帯５１に対する位置を変更して折り返されている部分の長さを変えることで、その長さを調整することが可能である。ベルト部材５は、第１胴２１と離間自在に構成されており、ベルト部材５の長さを調整することでその離間の程度を調整することができる。また、後述するように、ベルト部材５の他端部分は、一端側カラビナ５３を第１持ち手３の第２リング部材３２に連結する右肩掛け状態の位置と、一端側カラビナ５３を第１持ち手３の第１リング部材３１に連結する左肩掛け状態の位置と、ベルト部材５を使用せず第１襠部２３の第１引掛け部材２３２に一端側カラビナ５３を引っ掛ける状態の位置と、ベルト部材５を使用せず第２襠部２４の第２引掛け部材２４２（図１２参照）に一端側カラビナ５３を引っ掛ける状態の位置の４つの位置に移動させることができる。以下、ベルト部材５を使用せず第１襠部２３の第１引掛け部材２３２に一端側カラビナ５３を引っ掛ける状態を第１不使用状態と称することがあり、ベルト部材５を使用せず第２襠部２４の第２引掛け部材２４２（図１２参照）に一端側カラビナ５３を引っ掛ける状態を第２不使用状態と称することがある。図９（ａ）では、右肩掛け状態のベルト部材５を実線で示し、左肩掛け状態のベルト部材５と第１不使用状態のベルト部材５を二点鎖線で示している。
【００８３】
図９（ｂ）、同図（ｃ）および同図（ｄ）も参照しつつ、ベルト部材５の他端部分を説明する。
【００８４】
図９（ｂ）は、ベルト部材の他端部分を示す斜視図である。
【００８５】
図９（ｂ）に示すように、ベルト部材５の平帯５１の他端には、略直方体状の摺動駒５８が接続されている。以下、図９（ｂ）における摺動駒５８の、右斜め上方と左斜め下方とを結ぶ方向を摺動駒５８の長手方向と称することがあり、左斜め上方と右斜め下方とを結ぶ方向を摺動駒５８の幅方向と称することがある。
【００８６】
図９（ｃ）は、同図（ｂ）に示す摺動駒５８を、左斜め下方から見た図であり、図９（ｄ）は、同図（ｂ）に示す摺動駒５８を、右斜め下方から見た図である。
【００８７】
図９（ｂ）、同図（ｃ）および同図（ｄ）に示すように、摺動駒５８は、その長手方向における横断面が略台形状の駒本体５８１と、この駒本体５８１の上端から上方に矩形状に突出した係止部５８２を有している。また、摺動駒５８は、駒本体５８１の下面における長手方向両端部分に、幅方向に延在した一対の脚部５８３を有している。摺動駒５８における、一対の脚部５８３に挟まれた部分には、４つの球体５８４が設けられている。これら４つの球体５８４それぞれは、その下端部分が、一対の脚部５８３よりも下方に突出した状態で、駒本体５８１に回転自在に収容されている。なお、係止部５８２に球体５８４を設けてもよく、駒本体５８１の長手方向両側の側面部分に球体５８４を設けてもよい。さらに、球体５８４に代えてローラを設ける態様としてもよい。
【００８８】
次に、図１０も参照しつつ、被連結体６としてのベース上板６６とベース下板６７を説明する。
【００８９】
図１０（ａ）は、分解した、ベース上板とベース下板を示す斜視図である。図１０（ａ）では、右斜め上方と左斜め下方とを結ぶ方向が襠方向になり、左斜め上方と右斜め下方とを結ぶ方向が横方向になる。図１０（ｂ）は、同図（ａ）に示すベース下板を上方から見た図であり、図１０（ｃ）は、同図（ａ）に示すベース上板を下方から見た図である。図１０（ｂ）および同図（ｃ）では、図における上下方向が横方向になり、図における左右方向が襠方向になる。また、図１０（ｂ）に示すベース下板６７は、図の左側が正面側になり、図の右側が背面側になる。一方、図１０（ｂ）に示すベース上板は、図の右側が正面側になり、図の左側が背面側になる。
【００９０】
図１０（ａ）および同図（ｂ）に示すように、ベース下板６７には、下側案内溝６７１が設けられている。この下側案内溝６７１は、下方に凹んだものであり、横方向両端部分それぞれに設けられた円弧状の下側円弧状部６７１１，６７１１と、これら下側円弧状部６７１１，６７１１それぞれの端部をそれぞれ接続する、直線状の下側直線部６７１２，６７１２とを有し、平面視で略数字の０状に形成されている。また、ベース下板６７には、下側案内溝６７１に囲まれた部分に下側接着面６７２が設けられ、下側案内溝６７１の外側には、下側囲繞面６７３が設けられている。下側囲繞面６７３は、下側接着面６７２よりもやや低く形成されている。下側円弧状部６７１１，６７１１それぞれには、さらに下方に凹んだ下側案内溝被係止部６７１１ａ，６７１１ａが設けられている。また、下側囲繞面６７３には、下側案内溝被係止部６７１１ａ，６７１１ａにそれぞれ連なる下側囲繞面被係止部６７３ａ，６７３ａが設けられている。下側囲繞面被係止部６７３ａ，６７３ａそれぞれは、下側囲繞面６７３より下方に凹んだものであるが、下側案内溝被係止部６７１１ａよりもやや高く形成されている。
【００９１】
図１０（ｃ）に示すように、ベース上板６６には、下側案内溝６７１に対応した形状の上側案内溝６６１が設けられている。この上側案内溝６６１は、上方に凹んだものであり、横方向両端部分それぞれに設けられた円弧状の上側円弧状部６６１１，６６１１と、これら上側円弧状部６６１１，６６１１それぞれの端部をそれぞれ接続する上側直線部６６１２，６６１２とを有している。また、ベース上板６６には、上側案内溝６６１に囲まれた部分に上側接着面６６２が設けられ、上側案内溝６６１の外側には、上側囲繞面６６３が設けられている。上側囲繞面６６３は、上側接着面６６２よりもやや高く形成されている。正面側の上側直線部６６１２には、さらに上方に凹んだ上側案内溝被係止部６６６２ａ，６６６２ａが、横方向に間隔をあけて設けられている。また、上側囲繞面６６３には、上側案内溝被係止部６６６２ａ，６６６２ａにそれぞれ連なる上側囲繞面被係止部６６３ａ，６６３ａが設けられている。上側囲繞面被係止部６６３ａ，６６３ａそれぞれは、上側囲繞面６６３より上方に凹んだものであるが、上側案内溝被係止部６６６２ａよりもやや低く形成されている。これらベース下板６７とベース上板６６は、図１０（ａ）に示すように、下側案内溝６７１と上側案内溝６６１によって形成された空間（以下、摺動空間と称する）に摺動駒５８を収容した状態で、下側接着面６７２と上側接着面６６２とが接着されることで固定される。摺動空間に収容された摺動駒５８は、球体５８４（図９参照）が回転することによって、図１０（ａ）の矢印で示すように、下側案内溝６７１と上側案内溝６６１に沿って摺動自在なものである。すなわち、摺動駒５８が、本発明にいう連結部の一例に相当し、下側案内溝６７１と上側案内溝６６１が、本発明にいう被連結部の一例に相当する。なお、ベース下板６７とベース上板６６とは、着脱自在に重ねられたものであってもよい。
【００９２】
次に、図１１を用いて、摺動空間に収容された摺動駒５８が、図９（ａ）に示す、右肩掛け状態の位置と左肩掛け状態の位置との間に位置する場合と、右肩掛け状態の位置の場合と、第１不使用状態の位置の場合を説明する。
【００９３】
図１１（ａ）は、図１０（ｂ）のＡ−Ａ断面図を下に示し、図１０（ｃ）のＡ−Ａ断面図を上に示すとともに、摺動駒も示した図である。すなわち、図１１（ａ）は、図１０（ｂ）に示す、ベース下板のＡ−Ａ断面部分と、図１０（ｃ）に示す、ベース上板のＡ−Ａ断面部分とを重ね、摺動駒５８が、右肩掛け状態の位置と左肩掛け状態の位置との間に位置している状態を示す図である。図１１（ａ）では、左右方向が襠方向になる。図１１（ｂ）は、図１０（ｂ）のＢ−Ｂ断面図を下に示し、図１０（ｃ）のＢ−Ｂ断面図を上に示すとともに、摺動駒も示した図である。すなわち、図１１（ｂ）は、図１０（ｂ）に示す、ベース下板のＢ−Ｂ断面部分と、図１０（ｃ）に示す、ベース上板のＢ−Ｂ断面部分とを重ね、摺動駒５８が、右肩掛け状態の位置における状態を示している。図１１（ｂ）では、左右方向が襠方向になる。図１１（ｃ）は、図１０（ｂ）のＣ−Ｃ断面図を下に示し、図１０（ｃ）のＣ−Ｃ断面図を上に示すとともに、摺動駒も示した図である。すなわち、図１１（ｃ）は、図１０（ｂ）に示す、ベース下板のＣ−Ｃ断面部分と、図１０（ｃ）に示す、ベース上板のＣ−Ｃ断面部分とを重ね、摺動駒５８が、第１不使用状態の位置における状態を示している。図１１（ｃ）では、左右方向が横方向になる。
【００９４】
図１１（ａ）に示すように、摺動駒５８が、右肩掛け状態の位置と左肩掛け状態の位置との間に位置する場合には、摺動駒５８に接続したベルト部材５が、下側囲繞面６７３と上側囲繞面６６３との間から外方に延び、摺動駒５８の球体５８４が、下側案内溝の下側直線部６７１２に接地した状態になっている。また、摺動駒５８の係止部５８２と、上側案内溝の上側直線部６６１２との間には隙間が生じている。摺動駒５８は、球体５８４が回転することによって、横方向（紙面に直交する方向）に摺動させることができる。なお、図１１（ａ）では、摺動駒５８が、右肩掛け状態の位置と左肩掛け状態の位置との間に位置する場合を例にとって説明したが、右肩掛け状態、左肩掛け状態、第１不使用状態および第２不使用状態以外の場合には、同様の態様になる。
【００９５】
図１１（ｂ）は、摺動駒５８を右肩掛け状態の位置まで移動させ、後述するように、第１持ち手３と第２持ち手４を使用者の右肩にかけ、ベルト部材５が使用者の胸側で、第１持ち手３および第２持ち手４と袋体２の底側を互いに引き寄せている状態を示している。図１１（ｂ）に示すように、ベルト部材５の平帯５１が上方に引っ張られることで、摺動駒５８も上方に引っ張られる。これにより、摺動駒５８の係止部５８２が、上側案内溝被係止部６６６２ａに入り込むとともに、平帯５１における摺動駒５８に接続された部分が、上側囲繞面被係止部６６３ａに入り込む。これらの結果、摺動駒５８が、横方向（紙面に直交する方向）に摺動不能になり、右肩掛け状態における摺動駒５８の位置を安定させることができる。なお、上側案内溝被係止部６６６２ａを凸状に形成し、駒本体５８１の係止部５８２を凹状に形成してもよい。また、図１１（ｂ）では、摺動駒５８が、右肩掛け状態の位置の場合を例にとって説明したが、摺動駒５８が、左肩掛け状態の位置の場合も同様である。
【００９６】
図１１（ｃ）は、摺動駒５８を第１不使用状態の位置まで移動させた状態を示している。図９（ａ）の二点鎖線で示すように、第１不使用状態では、ベルト部材５は、一端側カラビナ５３が、第１引掛け部材２３２に取付られ、平帯５１の他端側部分が垂れ下がった状態になる。これにより、図１１（ｃ）に示すように、平帯５１の他端側部分が、下側囲繞面における下側囲繞面被係止部６７３ａに入り込んでいる。また、摺動駒５８が、下側円弧状部６７１１よりも下方に凹んだ下側案内溝被係止部６７１１ａに入り込み、摺動駒５８の球体５８４が、下側案内溝被係止部６７１１ａに接地した状態になっている。これらにより、摺動駒５８が、襠方向（紙面に直交する方向）に摺動しにくくなり、第１不使用状態における摺動駒５８の位置を安定させることができる。なお、図１１（ｃ）では、摺動駒５８が、第１不使用状態の位置の場合を例にとって説明したが、摺動駒５８が、第２不使用状態の位置の場合も同様である。
【００９７】
図１２（ａ）は、図９（ａ）に示す第３実施形態のバッグの、第１持ち手と第２持ち手が使用者の肩にかけられ、袋体が使用者の背中側に位置する場合のバッグおよび使用者を、使用者の胸側（正面側）から見た図である。図１２（ｂ）は、同図（ａ）に示した、バッグおよび使用者を、使用者の背中側から見た図である。図１２（ａ）および同図（ｂ）では、右肩掛け状態のバッグを実線で示し、左肩掛け状態のバッグを二点鎖線で示している。第３実施形態のバッグ１も様々な使用状態で使用することが可能なバッグであるが、この図１２（ａ）および同図（ｂ）に示された状態が、本発明において想定している所定の使用状態の一例である。
【００９８】
図１２の実線で示す、右肩掛け状態のバッグ１は、ベルト部材５の一端側カラビナ５３が第１持ち手３の第２リング部材３２に連結され、ベルト部材５の他端側部分は、図９（ａ）に実線で示す、右肩掛け状態の位置になっている。このバッグ１は、第１持ち手３と第２持ち手４が使用者Ｈの右肩にかけられた状態で、ベルト部材５と袋体２との間に使用者Ｈの胴体が通され、袋体２が使用者Ｈの背中側に位置している。これによって、図１２（ａ）に示すように、袋体２の第１胴２１が使用者Ｈの背中に接触した状態になり、同図（ｂ）に示すように、意匠面になる第２胴２２が、使用者Ｈの背中側から視認可能な状態になっている。ベルト部材５は、使用者Ｈの胸側（正面側）において逆体側に向かって、ベルト部材５が連結された第１持ち手３を引っ張っている。また、ベルト部材５は、摺動駒５８が収納された被連結体６を、使用者Ｈの胴体の背中側から胸側に回り込んで引っ張ることによって、使用者Ｈの背中側において、逆体側に向って袋体２を引っ張っている。これらによって、袋体２の第１胴２１が使用者Ｈの背中に押し付けられている。すなわち、ベルト部材５は、使用者Ｈの胸側で、第１持ち手３と袋体２の底側とを互いに引き寄せることで、袋体２の第１胴２１が使用者Ｈの背中に接触した状態を維持するものである。これにより、袋体２が揺れ動くことが抑制され、袋体２を安定した姿勢で所持することができる。また、図１１（ｂ）を用いて前述したように、摺動駒５８の係止部５８２は、上側案内溝被係止部６６６２ａに係止しているため、右肩掛け状態のベルト部材５の姿勢を安定させることができる。
【００９９】
バッグ１を、図１２の実線で示す右肩掛け状態から、図１２の二点鎖線で示す左肩掛け状態に変更するには、まず、ベルト部材５の一端側カラビナ５３を第１持ち手３の第２リング部材３２から取り外し、第１持ち手３と第２持ち手４を使用者Ｈの右肩から下ろす。次いで、摺動駒５８を摺動させ、摺動駒５８をもう一方の上側案内溝被係止部６６６２ａに入り込む位置まで移動させた状態で第１持ち手３と第２持ち手４を使用者Ｈの左肩にかけ、ベルト部材５の一端側カラビナ５３を第１持ち手３の第１リング部材３１に連結する。こうすることで、摺動駒５８がベルト部材５によって引っ張られ、図１１（ｂ）に示すように、摺動駒５８の係止部５８２が上側案内溝被係止部６６６２ａに係止され、左肩掛け状態のベルト部材５の姿勢を安定させることができる。また、図１２（ｂ）に示すように、左肩掛け状態においても意匠面になる第２胴２２が使用者Ｈの背中側から視認可能な状態になっている。
【０１００】
ベルト部材５を使用しない場合には、ベルト部材５の一端側カラビナ５３を第１持ち手３の、第１リング部材３１または第２リング部材３２から取り外し、摺動駒５８を摺動させ、摺動駒５８を、第１襠部２３側の下側案内溝被係止部６７１１ａ、あるいは第２襠部２４側の下側案内溝被係止部６７１１ａのいずれかに入り込む位置まで移動させる。この摺動駒５８の移動の際には、正面側の摺動空間を摺動させてもよいし、背面側の摺動空間を摺動させてもよい。次いで、ベルト部材５の一端側カラビナ５３を、第１襠部２３の第１引掛け部材２３２、あるいは第２襠部２４の第２引掛け部材２４２に取り付ければよい。こうすることで、図１１（ｃ）を用いて前述したように、ベルト部材５を使用しない場合におけるベルト部材５の位置を安定させることができる。
【０１０１】
なお、バッグ１の意匠面が第２胴２２に特定されない場合には、図１０（ｃ）に示すベース上板６６における、背面側の上側直線部６６１２にも一対の上側案内溝被係止部６６６２ａを設け、第１胴２１が使用者Ｈの背中側から視認可能な状態で使用できる態様を採用してもよい。
【０１０２】
以上説明したように、本実施形態のバッグ１は、使い勝手が良い。
【０１０３】
本発明は上述の実施の形態に限られることなく特許請求の範囲に記載した範囲で種々の変更を行うことが出来る。たとえば、上記実施形態では、袋体２が革製であるものを例に挙げて説明したが、袋体２の素材は特に限定されるものではなく、いわゆるキャンバス素材といわれるような布製であってもよいし、ナイロン製であってもよい。また、第１胴２１と第２胴２２とを下辺と左右両辺で結合することによって、襠部および底面部を省略してもよいし、第１胴２１と第２胴２２とを下辺で結合することによって、底面部のみを省略してもよい。また、持ち手を、第１胴２１と第２胴２２の双方をつなぐように取り付けたいわゆる一本手にしてもよい。さらに、ベルト部材５は、その平帯５１が長さ方向に伸縮性を有するものであってもよい。
【０１０４】
以下、これまで説明したことも含めて付記する。
【０１０５】
（付記１）
袋体と、
前記袋体に取り付けられ、肩にかけることが可能な持ち手と、
一端部分が前記袋体に接続され、該一端部分に対する他端部分が前記持ち手に接続されたベルト部材とを備え、
前記ベルト部材は、前記持ち手が使用者の肩にかけられて使用する場合に、前記持ち手がかけられた使用者の肩とは反対側の肩が存在する体側に向かって該袋体およびこのベルト部材が接続された持ち手を引っ張り、該袋体の一部が使用者の背中に接触した状態を維持するものであることを特徴とするバッグ。
【０１０６】
（付記２）
第１胴と第２胴との間に収納空間を有する袋体と、
前記袋体に取り付けられ、肩にかけることが可能な持ち手と、
一端部分が前記袋体に接続され、該一端部分に対する他端部分が前記第２胴側から前記第１胴側へ回り込んで前記持ち手に接続されたベルト部材とを備え、
前記ベルト部材は、前記第１胴側の部分が該第１胴とは離間自在なものであることを特徴とするバッグ。
【０１０７】
（付記３）
第１胴と第２胴との間に収納空間を有し、該収納空間につながる開口部を上端部分に備えた袋体と、
前記袋体の第１胴に取り付けられ、肩にかけることが可能な第１持ち手と、
前記袋体の第２胴に取り付けられ、肩にかけることが可能な第２持ち手と、
一端部分が前記袋体に接続され、該一端部分に対する他端部分が前記第２持ち手に接続されたベルト部材とを備え、
前記ベルト部材は、前記一端部分と前記他端部分との間の部分が前記第１胴とは離間自在なものであることを特徴とするバッグ。
【０１０８】
（付記４）
袋体と、
前記袋体に取り付けられ、肩にかけることが可能な持ち手と、
一端部分が前記袋体に接続されたベルト部材とを備え、
前記ベルト部材は、前記一端部分に対する他端部分が前記袋体に着脱自在に接続された袋体接続状態と、該他端部分が前記持ち手に着脱自在に接続された持ち手接続状態とに状態変化可能なものであって、該持ち手接続状態において前記持ち手が使用者の肩にかけられて使用する場合に、前記持ち手がかけられた使用者の肩とは反対側の肩が存在する体側に向かって該袋体および該持ち手を引っ張り、該袋体の一部が使用者の背中に接触した状態を維持するものであることを特徴とするバッグ。
【０１０９】
（付記５）
第１胴と第２胴との間に収納空間を有する袋体と、
前記袋体に取り付けられ、肩にかけることが可能な持ち手と、
一端部分が前記袋体に接続され、該一端部分に対する他端部分が前記第２胴側から前記第１胴側へ回り込んで前記持ち手に着脱自在に取り付けられたベルト部材とを備え、
前記ベルト部材は、前記第１胴側の部分が該第１胴とは離間自在なものであることを特徴とするバッグ。
【０１１０】
（付記６）
第１胴と第２胴との間に収納空間を有し、該収納空間につながる開口部を上端部分に備えた袋体と、
前記袋体の第１胴に取り付けられ、肩にかけることが可能な第１持ち手と、
前記袋体の第２胴に取り付けられ、肩にかけることが可能な第２持ち手と、
一端部分が前記袋体に接続されたベルト部材とを備え、
前記ベルト部材は、前記一端部分に対する他端部分が前記袋体に着脱自在に接続された袋体接続状態と、該他端部分が前記第２持ち手に着脱自在に取り付けられた第２持ち手接続状態との間で状態変化可能なものであって、少なくとも前記第２持ち手接続状態では、前記一端部分と前記他端部分との間の部分が前記第１胴とは離間自在なものであることを特徴とするバッグ。
【０１１１】
（付記７）
前記ベルト部材は、長さ調整可能なものであることを特徴とする付記１から６のうちいずれか記載のバッグ。
【０１１２】
（付記８）
前記ベルト部材は、長さ方向に伸縮性を有するものであることを特徴とする付記１から６のうちいずれか記載のバッグ。
【０１１３】
なお、以上説明した各実施形態や付記の記載それぞれにのみ含まれている構成要件であっても、その構成要件を他の実施形態に適用してもよい。
【符号の説明】
【０１１４】
１    バッグ
２    袋体
２１    第１胴
２２    第２胴
２３    第１襠部
２４    第２襠部
２５    底面部
３    第１持ち手
３１    第１リング部材
３２    第２リング部材
３４ａ，４４ａ    第２被連結部
４    第２持ち手
５    ベルト部材
５３    一端側カラビナ
５４    他端側カラビナ
５７    連結部材
５８    摺動駒
５８２    係合部
６    被連結体
６２    第１被連結部材
６３    第２被連結部材
６５    被連結ピン
６６    ベース上板
６６１    上側案内溝
６６６２ａ    上側案内溝被係止部
６７    ベース下板
６７１    下側案内溝
６７１１ａ    下側案内溝被係止部
Ｈ    使用者
【図１】
2015019996.tif 000003
【図２】
2015019996.tif 000004
【図３】
2015019996.tif 000005
【図４】
2015019996.tif 000006
【図５】
2015019996.tif 000007
【図６】
2015019996.tif 000008
【図７】
2015019996.tif 000009
【図８】
2015019996.tif 000010
【図９】
2015019996.tif 000011
【図１０】
2015019996.tif 000012
【図１１】
2015019996.tif 000013
【図１２】
2015019996.tif 000014
【国際調査報告】
2015019996.tif 000015
2015019996.tif 000016